(57)【要約】【課題】鋸による工作物の切断により発生する多量の切り屑を収集可能な切り屑収集器を備えた鋸を提供する。【解決手段】鋸が、ベースアセンブリと、ベースアセンブリに旋回可能に取り付けられるテーブルと、テーブルに旋回可能に取り付けられるハウジングであって、ハウジングに少なくとも１つのレールが滑動可能に接続する、ハウジングと、少なくとも１つのレールに配置される鋸アセンブリとを具備する。鋸アセンブリは、モーターと、前記モータにより駆動される刃とを具備する。鋸は更に、鋸アセンブリに取り付けられた切り屑収集器を具備しており、切り屑収集器は、ハウジングを通り伸張する、チューブを有する。【選択図】図１
2006297587.tif 000002
【特許請求の範囲】
【請求項１】
鋸において、この鋸が、
ベースアセンブリと、
前記ベースアセンブリに旋回可能に取り付けられるテーブルと、
前記テーブルに旋回可能に取り付けられるハウジングであって、前記ハウジングに第１のレールが滑動可能に接続する、ハウジングと、
前記第１のレールに配設される鋸アセンブリであって、モーターと、前記モータにより駆動される刃とを具備する、鋸アセンブリと、
前記鋸アセンブリに取り付けられた切り屑収集器と、
を具備しており、
前記切り屑収集器は、前記ハウジングを通り伸張する、チューブを有することを特徴とする鋸。
【請求項２】
前記鋸アセンブリは、第１の軸線の周りで旋回し、前記切り屑収集器は、前記第１の軸線より低い地点において前記ハウジングを通り伸張することを特徴とする請求項１に記載の鋸。
【請求項３】
前記鋸アセンブリは、前記刃を少なくとも部分的に覆う刃ガードを更に具備することを特徴とする請求項１に記載の鋸。
【請求項４】
前記切り屑収集器は、
開いた区域を形成する底部と、入口と、出口と、を有する上部ダクトであって、前記入口は第１の平面において存在し、前記第１の平面は実質的に垂直であり、更に前記開いた区域は第２の平面において存在し、前記第１と第２の平面は交差する、上部ダクトと、
前記上部ダクトに接続するフレキシブルな下部フラップであって、前記下部フラップが前記底部の下に部分的に配置され、前記開いた区域を実質的に覆うので、前記フレキシブルな下部フラップが、工作物の支持部に配置された工作物の上部表面に対して弾性的に変形可能である、フレキシブルな下部フラップと、
を具備しており、
前記下部フラップ及び前記上部ダクト入口は、前記上部ダクト出口に比べてより大きい、収集器入口を形成することを特徴とする請求項１に記載の鋸。
【請求項５】
前記切り屑収集器は、前記上部ダクトを前記鋸アセンブリに接続するためであって且つ前記上部ダクトに取り付けられた、柱を更に具備することを特徴とする請求項４に記載の鋸。
【請求項６】
前記上部ダクト入口は、実質的にＵ字形状の横断面を有することを特徴とする請求項４に記載の鋸。
【請求項７】
前記切り屑収集器は、開いた位置において前記下部フラップを保持するためのワイアを更に具備することを特徴とする請求項４に記載の鋸。
【請求項８】
前記チューブは、前記上部ダクトの出口に接続することを特徴とする請求項４に記載の鋸。
【請求項９】
前記チューブは、前記ハウジングに配置される通路を介して伸張することを特徴とする請求項１に記載の鋸。
【請求項１０】
前記通路は、プラスチック製ピースにより裏張りされることを特徴とする請求項９に記載の鋸。
【請求項１１】
少なくとも１つの切り屑収集バッグ及びホースは、前記プラスチック製ピースに接続可能であることを特徴とする請求項１０に記載の鋸。
【請求項１２】
前記鋸アセンブリは、前記ハウジングに滑動可能に接続する、第２のレールに接続することを特徴とする請求項１に記載の鋸。
【請求項１３】
前記第１と第２のレールは、コネクタによりに接続させられることを特徴とする請求項１２に記載の鋸。
【請求項１４】
前記コネクタは、前記第１と第２のレールの一方の端部に配置されることを特徴とする請求項１３に記載の鋸。
【請求項１５】
前記コネクタは、本体と、実質的に前記第１のレールの周りで前記本体から伸張する第１のフランジと、前記第１のフランジを通り伸張していて且つ前記本体に係合する、第１のボルトと、を有しており、
前記第１のレールの周りで圧縮力を生じることを特徴とする請求項１３に記載の鋸。
【請求項１６】
前記コネクタは、
実質的に前記第２のレールの周りで前記本体から伸張する第２のフランジと、前記第２のフランジを通り伸張していて且つ前記本体に係合する、第２のボルトと、を有しており、
前記第２のレールの周りで圧縮力を生じることを特徴とする請求項１５に記載の鋸。
【請求項１７】
鋸において、この鋸が、
ベースアセンブリと、
前記ベースアセンブリに旋回可能に取り付けられるテーブルと、
前記テーブルに旋回可能に取り付けられるハウジングであって、前記ハウジングに第１と第２のレールが滑動可能に接続する、ハウジングと、
前記第１と第２のレールに配置される鋸アセンブリであって、モーターと、前記モータにより駆動される刃とを具備する、鋸アセンブリと、
前記第１と第２のレールの間の距離を固定して実質的に保持するために前記第１と第２のレールに配設されるコネクタと、
を具備しており、
前記コネクタは、本体と、実質的に前記第１のレールの周りで前記本体から伸張する第１のフランジと、前記第１のフランジを通り伸張していて且つ前記本体に係合する、第１のボルトと、を有しており、
前記第１のレールの周りで圧縮力を生じることを特徴とする鋸。
【請求項１８】
前記コネクタは、前記第１と第２のレールの一方の端部に配置されることを特徴とする請求項１７に記載の鋸。
【請求項１９】
前記コネクタは、
実質的に前記第２のレールの周りで前記本体から伸張する第２のフランジと、前記第２のフランジを通り伸張していて且つ前記本体に係合する、第２のボルトと、を有しており、
前記第２のレールの周りで圧縮力を生じることを特徴とする請求項１７に記載の鋸。
【発明の詳細な説明】
【技術分野】
【０００１】
本発明は、切り屑収集機構を有する、鋸、特には切断鋸（チョップソー）に関する。
【背景技術】
【０００２】
切断鋸（チョップソー）は、ベース（基盤）又はテーブルに旋回可能に設置された鋸アセンブリ（組立体）を有する動力工具である。使用者はその際、工作物を切断するために、切断動作において鋸アセンブリを下方向に移動可能である。切断鋸の１つのタイプは、滑動式切断鋸であり、その切断鋸は、テーブルに滑動可能に接続する鋸アセンブリを有するので、鋸アセンブリは、水平方向に沿って可動であり、切断鋸の切断能力を向上させる。
【０００３】
滑動式切断鋸は、切断作業により発生した任意の切り屑を収集するための切り屑収集機構を具備することが好ましい。従来技術の解決案は、テーブル又はベース（基盤）上に切り屑収集機構を配置することを含む。この切り屑収集器は、滑動式鋸アセンブリが切り屑収集器に対して接近したりそれから遠ざかる場合でさえも、テ−ブル上において静止したままである。
【０００４】
別の従来技術の解決案は、滑動式鋸アセンブリ上に切り屑収集器を配置するので、切り屑収集器は鋸アセンブリに対して静止した状態である構成を開示する。しかし、一般的な従来技術の解決案は、滑動式鋸アセンブリ上における切り屑収集器の位置により、多量の切り屑を収集できない。
【発明の開示】
【発明が解決しようとする課題】
【０００５】
本発明は、上述した事情に鑑みなされたもので、従来技術の有する問題を解決し、鋸による工作物の切断により発生する多量の切り屑を収集可能な切り屑収集器を備えた鋸を提供することを目的としている。
【課題を解決するための手段】
【０００６】
改善された切り屑収集器が、切断鋸に関して提案される。該鋸は、ベースアセンブリと、ベースアセンブリに旋回可能に取り付けられたテーブルと、テーブルに旋回可能に取り付けられたハウジングと、ハウジングに滑動可能に接続する少なくとも１つのレールと、少なくとも１つのレールに配置された鋸アセンブリであって、モータと、モータにより駆動される刃とを具備する、鋸アセンブリと、鋸アセンブリに取り付けられた切り屑収集器と、を具備しており、切り屑収集器は、ハウジングを通り伸張するチューブを有する。
【０００７】
本発明のこれとは別の形態及び長所は、添付の図面を参照して、以下で詳細に説明されるので明確になる。
添付図は、それの原理の実践的適用に従がう本発明の好適な実施の形態を図解する。
【発明を実施するための最良の形態】
【０００８】
図１を参照すると、切断鋸１０は、本発明に従がう切り屑収集器２０を具備するように示される。当業者には、図１が滑動式マイター（miter）鋸を示していることを理解するが、しかし当業者はまた、本発明が任意の別のタイプの切断鋸及び／又は動力工具においても実施可能であることも認識するはずである。
【０００９】
滑動式マイター鋸１０は、ベース（基盤）１２に回転可能に配置されたテーブル１１を具備する。テーブル１１は壁１３を有しても良い。更に、支持アームハウジング１４が、テーブル１１に回転可能に接続されても良い。アームハウジング１４は、順に鋸アセンブリ１６に接続する、少なくとも１つの滑動可能なレール１５を滑動可能に収容しても良い。鋸アセンブリは、上刃ガード１８、上刃ガード１８に接続するモータ１６Ｍと、更に前記モータにより駆動される刃１７とを具備することが好ましい。上刃ガード１８は、刃１７の後部を部分的に覆う、後部ガード１８Ｒを具備しても良い。鋸アセンブリ１６は、ピボットＰの周りで回転して、使用者が、上部位置と下部位置との間で鋸アセンブリ１６を移動させることを可能にして、ベース１２及び／又はテーブル１１上に配置された工作物を切断することが好ましい。
【００１０】
図１から２を参照すると、マイター鋸１０はまた、切り屑収集アセンブリ２０を具備しても良い。その様な切り屑収集アセンブリ２０は、本明細書で資料として組み込まれる米国特許第6,742,425号に開示されている。切り屑収集アセンブリ２０は、切り屑収集アセンブリ２０を上刃ガード１８に接続するための柱２２を具備しても良い。柱２２は、柱２２の強度を増大するためのリブ２２Ｒを有しても良い。柱２２は、切り屑ダクト２１に接続することが好ましい。
【００１１】
切り屑ダクト２１は、ＡＢＳ又はXENOY（登録商標）プラスチック又は任意の別の適切な材料により形成されることが好ましい。切り屑ダクト２１は、切断作業により発生した切り屑を収容するための入口２１Ｉと、切り屑を排出するための出口２１Ｏとを具備しても良い。
【００１２】
入口２１Ｉの横断面は、下方向に向かって実質的にＵ字形状の開口であることが好ましい。他方で、出口２１Ｏの横断面は、実質的に円形で閉じられていても良い。出口２１Ｏの直径は、約35mmであることが好ましい。当業者は、入口２１Ｉの幅が出口２１Ｏの幅に比べてより狭いことが好ましいことを認識する。
【００１３】
切り屑フラップ（蓋部）２３は、切り屑ダクト２１の下に配置されても良い。切り屑フラップ２３は、ネオプレン被覆されたナイロン等の弾性のある、ゴム組み込み組織体により形成されても良い。切り屑フラップはReevecote18403により製造されることが好ましい。
【００１４】
切り屑フラップ２３は、入口２１Ｉの開口部に配置されるので、実質的に閉じた横断面２１ＩＡを形成しても良い。横断面２１ＩＡの幅及び高さはそれぞれ、約14mm及び約150mｍであっても良い。
【００１５】
横断面２１ＩＡの面積は、出口２１Ｏの横断面積の少なくとも約1.5倍であっても良い。横断面２１ＩＡの面積は、出口２１Ｏの横断面積の約1.5から約２倍であることが好ましい。横断面２１ＩＡの面積は、約1568mm2であり、その一方で出口２１Ｏの横断面積は約960.2 mm2であることが好ましい。
【００１６】
当業者は、切り屑ダクト２１から伸張していて且つ折りたたまれた、切り屑フラップ２３の形状が実質的に三角形であることを認識する。
【００１７】
当業者は、ゴム組み込み組織体等の弾性材料の切り屑フラップ２３を提供することにより、壁１３を越えて移動した場合に、切り屑フラップ２３が、工作物又は折れ曲がり部に沿って滑動可能で、その後その最初の形状に実質的に戻ることが可能であることを認識する。
【００１８】
切り屑ダクト２１はまた、切り屑フラップ２３を開状態に保持するためのワイア２１Ｗを有しても良い。ワイア２１Ｗは図２に示すように、切り屑ダクト２１の周りで下方向に伸張しており、切り屑フラップ２３を通り伸張し、その後切り屑ダクト２１の内側の周りに係止することが好ましい。ワイア２１Ｗは、切り屑フラップ２３における孔又はスロット（長穴）２３Ｓを通り伸張しても良い。更に、ワイア２１Ｗは、フック部２１ＷＨを介して切り屑ダクト２１の内側周りで抑止されても良い。
【００１９】
当業者は、ワイア２１Ｗが横断面２１ＩＡの幅を増大させるような形状を有しても良いことを認識する。従って、横断面２１ＩＡの面積は、出口２１Ｏの横断面積の少なくとも1.5倍（好適には、約３倍）であっても良い。
【００２０】
切り屑フラップ２３は、もし真空ホースが強い真空源に順に接続する、出口２１Ｏに接続する場合には、それ自体を閉鎖しても良い又は閉じても良いことを、当業者は認識する。ワイア２１Ｗはしかし、切り屑フラップ２３を開状態に保持して、適切な切り屑収集を可能にしても良い。
【００２１】
チューブ２４は出口２１Ｏに取り付けられても良い。チューブ２４はアームハウジング１４を通り伸張しても良い。アームハウジング１４は、通路（チャンネル）２５を有することが好ましい。チューブ２４は、通路２５を通り伸張しても良い。通路２５は、ハウジング１４内に配設されるピース（部分）２５Ｐにより形成されることが好ましい。ピース（部分）２５Ｐはプラスチックにより形成されても良い。当業者は、切り屑収集バッグ及び／又はホース２６（それは真空源に接続されても良い）がピース２５Ｐに接続可能であることを、認識するはずである。
【００２２】
チューブ２４はピース２５Ｐ内で伸縮自在であることが好ましい。その様な構成は、ホース２６が出口２１Ｏに直接的に接続されないので、比較的静的なホース２６を提供する。
【００２３】
もしホース２６がピース２５Ｐに接続していない場合には、チューブ２４及び／又はピース２５Ｐがチューブ２４に流入する空気速度を増大させるような形状を有しても良いので、ベンチュリー効果を発揮し、更に切り屑を切り屑収集バッグ内に輸送することを、当業者は認識するはずである。
【００２４】
図１及び３を参照すると、鋸１０は、２つ以上のレール１５を有しても良い。レール１５にコネクタ１５Ｃを設けて、それらの間の距離を比較的矛盾なく保持することが好ましい。コネクタ１５Ｃは、レール１５を囲むフランジ１５Ｆを有することが好ましい。ネジ１５Ｓは、フランジ１５Ｆを通り伸張可能で、コネクタ１５Ｃにネジ係合して、レール１５をクランプ（締結）することが出来る。当業者は、コネクタ１５Ｃが各レール１５を囲むのに十分なフランジ１５Ｆを有することが好ましいことを認識する。
【００２５】
当業者は、コネクタ１５Ｃがレール１５の端部又はレール１５に沿う任意の位置において配置されても良いことを認識する。
【００２６】
当業者は、本明細書に開示される手段に対する別の代替形態を認識しても良い。しかし、全てのこれらの追加及び／又は代替形態は、本発明の同等形態であると考えられる。
【図面の簡単な説明】
【００２７】
【図１】図１は、本発明による切り屑収集アセンブリを具備する、滑動式切断鋸を示す。
【図２】図２は、本発明の切り屑収集アセンブリを示す。
【図３】図３は、図１における線III−IIIに沿うレール端部キャップを示す。
【符号の説明】
【００２８】
１０    切断鋸（チョップソー）
１１    テーブル
１２    ベース（基盤）
１３    壁
１４    支持アームハウジング
１５    レール
１６    鋸アセンブリ
１６Ｍ    モータ
１７    刃
１８    上刃ガード
２０    切り屑収集器（アセンブリ）
２１    切り屑ダクト
２１Ｉ    入口
２１Ｏ    出口
２１Ｗ    ワイア
２２    柱
２３    切り屑フラップ
２４    チューブ
２５    通路
２５Ｐ    ピース
２６    切り屑収集バッグ又はホース
【図１】
2006297587.tif 000003
【図２】
2006297587.tif 000004
【図３】
2006297587.tif 000005
【手続補正書】
【提出日】平成18年7月13日(2006.7.13)
【手続補正１】
【補正対象書類名】図面
【補正対象項目名】全図
【補正方法】変更
【補正の内容】
【図１】
2006297587.tif 000006
【図２】
2006297587.tif 000007
【図３】
2006297587.tif 000008